(57)【特許請求の範囲】
【請求項１】
バーナボディと、該バーナボディ上に設けられるバーナヘッドとを備え、該バーナヘッドの下面外周部に該バーナボディに着座する筒状壁が垂設され、該筒状壁に、上下方向に長手の炎孔が周方向の間隔を存して多数形成されたコンロ用バーナにおいて、
前記バーナヘッドの筒状壁の外周面の少なくとも前記炎孔が存在する上下方向範囲の部分に所定の上下方向ピッチで線材を巻き付けることによって、前記筒状壁の外周面に開口した前記炎孔の出口部が上下方向に複数の区画に区分され、前記ピッチは、前記線材間に消炎距離分の上下方向の隙間を生ずるように設定されることを特徴とするコンロ用バーナ。
【請求項２】
前記筒状壁の外周面に、前記所定の上下方向ピッチで溝が形成され、この溝に入るように前記線材が巻き付けられることを特徴とする請求項１記載のコンロ用バーナ。
【請求項３】
前記バーナヘッドの上面に、前記線材の端末を固定する固定部が設けられ、この固定部を覆うようにカバーが前記バーナヘッド上に取付けられることを特徴とする請求項１又は２記載のコンロ用バーナ。
【発明の詳細な説明】
【技術分野】
【０００１】
本発明は、ガスコンロで用いるコンロ用バーナに関する。
【背景技術】
【０００２】
従来、一般的なコンロ用バーナは、バーナボディ上に設けられるバーナヘッドの下面外周部にバーナボディに着座する筒状壁を垂設し、この筒状壁に、炎孔を周方向の間隔を存して多数形成して、炎孔から噴出する混合気をバーナヘッドの外周で燃焼させるようにした外炎式バーナで構成されている（例えば、特許文献１参照）。
【０００３】
ところで、近年は地球温暖化対策のため、コンロにおいても熱効率の向上が求められている。外炎式のコンロ用バーナは、燃焼ガスが外側に広がり易いため、熱効率を向上させるには、燃焼ガスが鍋等の被加熱物の底面中央部寄りの部分にも当たるようにバーナを小径化することが必要になる。この場合、バーナヘッドの環状壁の周長が短くなるため、これに形成できる炎孔の数が減少する。従って、大径のバーナと同様の強火力を得るには、各炎孔の断面積を拡大することが必要になる。然し、各炎孔の断面積を拡大すると、炎孔における混合気の流速が低下し、弱火での燃焼時に逆火を生じ易くなる。
【０００４】
尚、各炎孔の断面積を然程大きくしなくても済むように、各炎孔を幅狭の上下方向に細長い形状に形成して、炎孔の数を多くすることも考えられる。然し、これでは、火炎からバーナヘッドへの熱引けを生じ易くなり、バーナヘッドの温度が低い点火初期に弱火にすると、安定して燃焼しなくなる。
【特許文献１】特開平９−１６６３０６号公報
【発明の開示】
【発明が解決しようとする課題】
【０００５】
本発明は、以上の点に鑑み、バーナの小径化で各炎孔の断面積を大きくしても、弱火での逆火を防止でき、且つ、点火初期に弱火で安定燃焼させることができるようにしたコンロ用バーナを提供することをその課題としている。
【課題を解決するための手段】
【０００６】
上記課題を解決するために、本発明は、バーナボディと、バーナボディ上に設けられるバーナヘッドとを備え、バーナヘッドの下面外周部にバーナボディに着座する筒状壁が垂設され、筒状壁に、上下方向に長手の炎孔が周方向の間隔を存して多数形成されたコンロ用バーナにおいて、バーナヘッドの筒状壁の外周面の少なくとも炎孔が存在する上下方向範囲の部分に所定の上下方向ピッチで線材を巻き付けることによって、前記筒状壁の外周面に開口した前記炎孔の出口部が上下方向に複数の区画に区分され、前記ピッチは、線材間に消炎距離分の上下方向の隙間を生ずるように設定されることを特徴とする。
【０００７】
本発明によれば、小径のバーナで大径のバーナと同様の強火力を得られるように各炎孔の断面積を拡大した場合の問題点である弱火での逆火を防止できる。即ち、バーナヘッドの筒状壁の外周面の少なくとも炎孔が存在する上下方向範囲の部分に所定の上下方向ピッチで線材を巻き付けることによって、筒状壁の外周面に開口した炎孔の出口部が上下方向に複数の区画に区分されるので、各炎孔の断面積の拡大で炎孔における混合気の流速が低下しても、筒状壁の外周面に巻き付けた線材間の区画により生ずる消炎距離分の隙間で炎孔内への火炎伝播が阻止され、逆火は生じない。
更に、線材の熱容量は小さいため、各炎孔を上下方向に細長い形状に形成して各炎孔の断面積を小さくする場合と異なり、火炎から線材及びバーナヘッドへの熱引けが抑制される。従って、バーナヘッドの温度が低い点火初期に弱火にしても、安定して燃焼する。
【０００８】
また、本発明においては、バーナヘッドの筒状壁の外周面に、上記所定の上下方向ピッチで溝が形成され、この溝に入るように線材が巻き付けられることが望ましい。これによれば、線材を正確なピッチで巻き付けることができる。更に、線材が溝内に係止されるため、バーナヘッドの清掃時に線材がずれるようなことがなく、安定して消炎距離を保てる。
【０００９】
また、本発明においては、バーナヘッドの上面に、線材の端末を固定する固定部が設けられ、この固定部を覆うようにカバーがバーナヘッド上に取付けられることが望ましい。これによれば、固定部がカバーで目隠しされて、体裁が良好になると共に、ユーザが不用意に端末の固定を解除して、線材が解けてしまうことを予防できる。
【発明を実施するための最良の形態】
【００１０】
図１を参照して、１は図示省略したコンロ本体の上面を覆う天板、２はコンロ用バーナを示している。天板１にはバーナ用開口１ａが開設されている。また、天板１上には、バーナ用開口１ａを囲うようにして図示省略した五徳が載置される。そして、五徳に載置する鍋等の被加熱部がバーナ２で加熱される。
【００１１】
バーナ２は、コンロ本体内に設置される混合管３と、混合管３に接続されバーナ用開口１ａを通して天板１上に露出するバーナボディ４と、バーナボディ４上に着脱自在に載置されるバーナヘッド５とで構成される。コンロ本体内には、混合管３の上流端に臨む図示省略したガスノズルが設けられており、ガスノズルから噴出する燃料ガスと混合管３の上流端から吸引される一次空気との混合気がバーナボディ４に供給される。
【００１２】
バーナボディ４は、内筒部４１と外筒部４２とから成る内外２重筒構造に構成されている。バーナボディ４の外筒部４２の上端には、外曲げフランジ部４３が形成され、更に、外曲げフランジ部４３の外周から下方にのびるスカート部４４が形成されている。そして、スカート部４４に外嵌するカバーリング４５により、バーナ用開口１ａを上方から閉塞し、煮こぼれ汁がバーナ用開口１ａからコンロ本体内に落下することを防止している。
【００１３】
バーナヘッド５は、真鍮等の耐蝕金属製の鍛造品であって、環状に形成されている。バーナヘッド５の内周には、バーナボディ４の内筒部４１に嵌合する筒部５１が垂設され、また、バーナヘッド５の下面外周部には、バーナボディ４の外曲げフランジ部４３に着座する筒状壁５２が垂設されている。筒状壁５２には、上下方向に長手の炎孔５３が周方向の間隔を存して多数形成されている。かくして、バーナボディ４に供給された混合気が炎孔５３から噴出してバーナヘッド５の外周で燃焼する外炎式バーナが構成される。
【００１４】
尚、筒状壁５２の周囲１箇所には、上下方向長さを短くした点火炎孔５３ａが形成されており、点火炎孔５３ａに臨ませて配置した点火プラグ６によりバーナ２への点火が行われる。また、五徳を構成する五徳爪に火炎が触れると燃焼不良を生ずるため、五徳爪と同一方位に位置する筒状壁５２の部分には、上下方向長さを短くした小炎孔５３ｂ（図２参照）を形成し、火炎が五徳爪に触れることを防止している。
【００１５】
バーナボディ４の内筒部４１及びバーナヘッド５の筒部５１で囲われるバーナ中央空間には、五徳上の被加熱物の底面に当接してその温度を検出する鍋底温度センサ７が配置されている。
【００１６】
ところで、外炎式バーナを用いて熱効率を向上させるには、燃焼ガスが被加熱部の底面の中央部寄りの部分に当たるように、バーナを小径化する必要がある。本実施形態のコンロ用バーナ２も小径化したバーナである。ここで、小径化したバーナで大径のバーナと同様の強火力を得るには、各炎孔５３の断面積を拡大することが必要になる。然し、各炎孔５３の断面積を拡大すると、炎孔５３における混合気の流速が低下し、弱火での燃焼時に逆火を生じ易くなる。尚、各炎孔５３を幅狭の上下方向に細長い形状に形成して、各炎孔５３の断面積を小さくすれば、弱火時の逆火を防止できるが、これでは、火炎からバーナヘッド５への熱引けを生じ易く、バーナヘッド５の温度が低い点火初期に弱火にすると、安定して燃焼しなくなる。
【００１７】
そこで、本実施形態では、図２乃至図４に明示するように、バーナヘッド５の筒状壁５２の外周面に、その上端から下端に亘り、所定の上下方向ピッチＰで螺旋状の溝５２ａを形成し、この溝５２ａに入るように筒状壁５２の外周面にステンレス等の金属製の細い線材５４を巻き付けている。これにより、筒状壁５２の外周面に開口した炎孔５３の出口部が上下方向に複数の区画に区分される。
ここで、上記ピッチＰは、線材５４間に消炎距離分の上下方向の隙間を生ずるように設定されている。尚、線材５４の直径が０．２５ｍｍである場合、上記ピッチＰは１ｍｍ程度になる。
【００１８】
このように線材５４を巻き付けることで、筒状壁５２の外周面に開口した炎孔５３の出口部が上下方向に複数の区画に区分されるので、弱火での燃焼時に混合気の流速が低下しても、炎孔５３の出口部において線材５４間の区画により生ずる消炎距離分の隙間で炎孔５３内への火炎伝播が阻止され、逆火は生じない。更に、線材５４の熱容量は小さいため、各炎孔５３を上下方向に細長い形状に形成する場合と異なり、火炎から線材５４及びバーナヘッド５への熱引けが抑制される。従って、バーナヘッド５の温度が低い点火初期に弱火にしても、安定して燃焼する。
【００１９】
ところで、筒状壁５２の外周面に、目開き寸法の細かなメッシュ部材を巻き付けて、弱火時の逆火を防止することも考えられる。然し、これでは、メッシュ部材の熱容量が線材５４に比しかなり大きくなるため、メッシュ部材への熱引けを生じて、点火初期に弱火で安定して燃焼できなくなる。また、メッシュ部材では混合気の通過抵抗が大きくなり、強火力が得られなくなる。一方、線材５４を巻き付ける本実施形態では、混合気の通過抵抗がメッシュ部材を用いる場合に比し遥かに小さくなり、所要の強火力が得られる。
【００２０】
また、本実施形態では、筒状壁５２の外周面に、これに形成した溝５２ａに入るように線材５４を巻き付けているため、線材５４を筒状壁５２の外周面に正確なピッチで巻き付けることができる。更に、線材５４が溝５２ａ内に係止されるため、バーナヘッド５の清掃時に線材５４がずれるようなことがなく、安定して消炎距離を保てる。
【００２１】
尚、バーナヘッド５と線材５４との熱膨張差により、線材５４に過大な張力が作用したり、線材５４が筒状壁５２の外周面から浮くことを防止するため、バーナヘッド５の材質と線材５４の材質は熱膨張係数の近いものにすることが望ましい。
【００２２】
また、線材５４は、その下方の端末を筒状壁５２の内周面の周囲１箇所の下端部に溶接等で固定した状態で筒状壁５２の外周面に巻き付けられる。そして、線材５４の上方の端末を、図３に示す如く、バーナヘッド５の上面に設けた固定部５５にビス５５ａで固定している。尚、固定部５５に線材５４の端末を溶接で固定しても良い。
【００２３】
バーナヘッド５上には、固定部５５を覆うようにしてカバー５６が設けられている。カバー５６は、図４に示す如く、バーナヘッド５に下方からビス５６ａ止めされている。これによれば、固定部５５がカバー５６で目隠しされて、体裁が良好になると共に、ユーザが不用意に端末の固定を解除して、線材５４が解けてしまうことを予防できる。また、カバー５６の周囲１箇所には、図１に示す如く、点火プラグ６に対向するターゲット部５６ｂが一体成形されている。
【００２４】
以上、本発明の実施形態について図面を参照して説明したが、本発明はこれに限定されない。例えば、上記実施形態では、筒状壁５２の上下方向全域に線材５４を巻き付けたが、筒状壁５２の外周面の炎孔５３が存在する上下方向範囲の部分にのみ線材５４を巻き付けても良い。また、上記実施形態では、筒状壁５２の外周面に螺旋状の溝５２ａを形成したが、筒状壁５２の外周面を１周する溝を所定の上下方向ピッチで上下複数段に形成することも可能である。この場合、各溝に夫々分離独立した線材を巻き付けても良く、また、筒状壁５２の外周面の周囲１箇所にこれら溝に交差する縦溝を形成し、連続した１本の線材を巻き付け済みの溝から隣接する溝に縦溝を通して移し替えて巻き付けるようにしても良い。
【図面の簡単な説明】
【００２５】
【図１】本発明の実施形態のコンロ用バーナの断面図。
【図２】実施形態のコンロ用バーナのバーナヘッドの外周面の展開図。
【図３】図２のＩＩＩ−ＩＩＩ線で切断したバーナヘッドの断面図。
【図４】図２のＩＶ−ＩＶ線で切断したバーナヘッドの断面図。
【符号の説明】
【００２６】
２…コンロ用バーナ、４…バーナボディ、５…バーナヘッド、５２…筒状壁、５２ａ…溝、５３…炎孔、５４…線材、５５…固定部、５６…カバー。
【図１】
0004978971.tif 000002
【図２】
0004978971.tif 000003
【図３】
0004978971.tif 000004
【図４】
0004978971.tif 000005